(57)【要約】      （修正有）【課題】主に衣類のワイシャツ等の、固くて小さいボタンホールに、片手でスムーズにボタンを填める事ができ、他の用途に使用できる、ボタンを填める用具を提供する。【解決手段】ボタンが通過する輪形状の部分２と先端の溝形状の部分１からなるボタンを填める用具であって、先端の溝１の部分をボタンホールの表から差し込み、目的のボタンを用具の輪２の部分から通して用具を引き抜くと、ボタンは先端の溝１に移動し、さらに用具を引き抜くと、ボタンホールを潜り抜けることができる。また、紐の二重結び切りを解くのに使用でき、紐のこま結びを解くのにも使用できる。【選択図】図１
2011062486.tif 000002
【特許請求の範囲】
【請求項１】
ボタンを填める用具のボタンが通過する輪の形状の部分２より、先端部溝１の形状になっている部分。
【請求項２】
ボタンを填める用具の請求項１の部分で、輪の形状の部分２と溝の形状部分１は同じ高さでも差し支えないが、溝の形状部分１は、輪の形状の部分２よりわずかに低くなっている。
【請求項３】
ボタンを填める用具の輪の形状の部分２を、多少広くしたり狭めたりできるように柄の部分４もある程度の部分まで溝になっている。
【請求項４】
手で握る柄の部分４のみでも差し支えないが、挟むことができるように柄の部分３と二重になっていて、柄の部分３の形状は、どのような形状でも差し支えない。
【発明の詳細な説明】
【技術分野】
【０００１】この発明は、主に衣類等の特にワイシャツ等の固い衿首、及び袖口のカフス部分のボタンホールに片手でボタンを填める用具である。【０００２】また、このボタンを填める用具は補助的に、紐等、こま結びを解く用具及び、ゴム紐等を通す用具、又、ネクタイ止めとして使用できる用具である。
【背景技術】
【０００３】従来、ゴム紐通しは沢山存在したが、衣類等の特にワイシャツやブラウス等のボタンを片手で容易に填められる用具としては存在しなかった為、外出時、ある程度の人達は非常に難儀をしながら片手でボタンを填めて過ごしてきた。
【発明の概要】
【発明が解決しようとする課題】
【０００４】特に指先に力のなくなってきた年配の人にとって、クリーニング上がり等、又新調したばかりの固い袖口のボタンホールに片手でボタンを填めることは、非常に難儀であり手間がかかった。【０００５】又、業務として、手で大量にボタンを填める仕事をするアパレル産業の人達にとって、指先に力をを入れる為、指先が痛くなったり仕事が捗らないのが難点であった。【０００６】本発明は、このような不便且つ、難儀を解消する為、片手で素早く、スムーズにボタンを填める事ができ、しかも多用途に使用できる用具を提供する事を目的とする。
【課題を解決するための手段】
【０００７】このような目的を達成する本発明の、ボタンを填める用具は、外出時の時間に追われている時、シャツ等の小さくて固いボタンホールでも、片手で用意にボタンを填める事ができる。使用後は、胸ポケットや他のボタンホールに挟んで、外出先に携帯できるように作られている。【０００８】本発明の用具は、ボタンを填める用具として使用した後は、そのままネクタイ止めとして使用する事ができる。【０００９】このボタンを填める用具は、アパレル産業で大量に衣類のボタンを填めることを業務としている人達にとって、指先を痛める事無く長時間作業が継続でき、作業が捗る利便さがある。作業専用に使用する場合は携帯する必要がないので、手で握る部分の柄は一本でもどのような形でもよく、長めにすることで使い易くなる。【００１０】このボタンを填める用具は、あらゆる場所に於いて必要に迫られた時、例えばポリ袋等の口をこま結びにした時解く用具として、或いは、紐等を固く結び切りにした時にも、簡単に解く用具としても使用できる。【００１１】このボタンを填める用具は、補助的に袋等の紐通し或いは、パンツ等のゴム紐通しとして使用する事が可能である。
【発明を実施する為の形態】
【００１２】以下、本発明のボタンを填める用具の実施の形態について図面を参照して説明する。
【００１３】本発明のボタンを填める用具は図４に示すように細めの針金状で、溝のある先端部１、ボタンをくぐらせる輪の部分２、及び手で握る柄の部分３と４で構成されている。
【００１４】図３に示すように先端部溝１の部分は、輪の部分２より少し凹ませてある。これは、ボタンホールをくぐらせる時、ボタンがスムーズに通るようにする為であるが、輪の部分２と同じ高さの平面でも差し支えない。
【００１５】図４に示すように、手で握る部分３と４は二枚重ねになっているが、これは填めた後挟んで携帯できるようにする為、又、ネクタイ止めとして使用する為であるが、ボタンを填める業務専用として使用する場合は、必ずしも、２枚重ねでなくても柄の部分４のみでも構わない。又、柄はどのような形状でもよい。
【００１６】（ステップ１０１）図５に示すように、先ずボタンを填める用具をボタンホールの表から差込み、目的のボタンをボタン填め用具の輪２に填める。
（ステップ１０２）図６に示すように、ボタン填め用具を引くと、ボタンが溝の部分に移動する。
（ステップ１０３）図７に示すように、ボタン填め用具を引いてボタンホールをくぐらせ、表に出す。ボタンを通し終わったらボタン填め用具を押し戻し、ボタンから用具を取り出す。
【００１７】（ステップ１０４）図８に示すように、ボタン填め用具を、袋等の口の結び切りを解くのに使用する場合は、結び目の下部からボタン填め用具を差込み、溝部分１又は輪の部分２に袋の結び目の端を通した後ボタン填め用具を引き抜くと、袋の結び目が解ける。（ステップ１０５）
【００１８】（ステップ１０６）〜（ステップ１０７）図９に示すように、ボタン填め用具を結びきりにした紐を解くのに使用する場合は、結び目の中へボタン填め用具を紐の端と同方向へ差し込み、溝１又は、輪２の中へ紐の端を通し、ボタン填め用具を引き抜くと結び目が解ける。
【００１９】（ステップ１０８）〜（ステップ１０９）図１０に示すように、ボタン填め用具を細結びにした紐を解くのに使用する場合は、ボタン填め用具を結び目の中へ紐の断ち切りと同方向へ差し込み、ボタン填め用具の溝の部分１又は輪の部分２に紐の端を通したのちボタン填め用具を引き抜くと、細結び目が解ける。
【図面の簡単な説明】
【００２０】
【図１】ボタンを填める用具の正面図である。
【図２】ボタンを填める用具の背面図である。
【図３】ボタンを填める用具の横から見た断面図である。
【図４】ボタンを填める用具の斜視図である。
【図５】ボタンを填める用具をシャツのカフスのボタンホールから差し込んだ立面図である。（ステップ１０１）
【図６】ボタンを填める用具を引いて溝部１にボタンを移動させた立面図である。（ステップ１０２）
【図７】ボタンを填める用具を引いてボタンホールからボタンをくぐらせた立面図である。（ステップ１０３）
【図８】袋の結び目からボタン填め用具を差し込んだ立面図である。（ステップ１０４）〜（ステップ１０５）
【図９】結びきりの紐の結び目にボタン填め用具を差し込んだ立面図である。（ステップ１０６）〜（ステップ１０７）
【図１０】細結びした紐の結び目にボタン填め用具を差し込んだ立面図である。（ステップ１０８）〜（ステップ１０９）
【符号の説明】
【００２１】１・‥‥  ボタンを填める用具の溝の部分
２・‥‥  ボタンを填める用具の輪の部分
３・‥‥  手で握る部分の柄  上側
４・‥‥  手で握る部分の柄  下側
５・‥‥  シャツのカフス部分
６・‥‥  ボタンホール
７・‥‥  ボタン
８・‥‥  袋
９・‥‥  紐
【図１】
2011062486.tif 000003
【図２】
2011062486.tif 000004
【図３】
2011062486.tif 000005
【図４】
2011062486.tif 000006
【図５】
2011062486.tif 000007
【図６】
2011062486.tif 000008
【図７】
2011062486.tif 000009
【図８】
2011062486.tif 000010
【図９】
2011062486.tif 000011
【図１０】
2011062486.tif 000012